(57)【要約】接着層（１５）により一緒に保持される第１のキャリア層（２）及び第２のキャリア層（３）を有する非接触通信用のデータキャリア（１）であって、集積回路（１１）が、２つのキャリア層（２，３）の１つと接着層（１５）との間の所与の位置に保持され、上記回路が、上記キャリア層において伝送手段（７，８）と非接触な態様で通信することができる伝送手段（１３，１４）を有し、上記キャリア層の伝送手段（７，８）が、電気的導通で更なる伝送手段（５，６）に接続され、このことにより通信局との非接触通信が実行されることが可能であり、集積回路（１１）の最終の機械的な安定保持が、データキャリア（１）の上記集積回路用に確保された位置において、接着層（１５）のみによって実現される、データキャリア（１）に関する。
2004531007.tif 000002
【特許請求の範囲】
【請求項１】
データキャリアであって、
通信局との非接触通信用に構成され、
第１のキャリア層及び第２のキャリア層を有し、
前記２つのキャリア層を一緒に保持するために、前記第１のキャリア層と前記第２のキャリア層との間に置かれる接着層を有し、
前記２つのキャリア層の１つと前記接着層との間において所与の位置にある集積回路を有し、該集積回路が、回路伝送手段を有する、データキャリアにおいて、
第１の伝送手段が、前記第１のキャリア層に接続され、前記第１の伝送手段は、少なくともほぼ前記接着層に載置しており、前記第１の伝送手段によって、通信局と当該データキャリアとの非接触通信が、実施されることが可能であり、
第２の伝送手段が、前記第１のキャリア層に接続され、前記第２の伝送手段は、電気的導通で前記第１の伝送手段に接続されると共に、通信目的用に前記回路伝送手段と動作接続しており、
前記集積回路の最終の機械的な安定保持が、該集積回路の所与の位置において、前記接着層のみによって実現される、データキャリア。
【請求項２】
前記集積回路が、前記接着層と前記第２のキャリア層との間に位置決めされる、請求項１に記載のデータキャリア。
【発明の詳細な説明】
【技術分野】
【０００１】
本発明は、通信局との非接触通信用のデータキャリアであって、当該データキャリアが、第１のキャリア層及び第２のキャリア層と、これらの２つのキャリア層を一緒に保持するために上記２つのキャリア層の間に位置付けられる接着層と、上記２つのキャリア層の１つと上記接着層との間において所与の位置に置かれる集積回路とを有し、上記集積回路が、第１のキャリア層における伝送手段により通信接続を行う回路伝送手段を有する、データキャリアに関する。
【背景技術】
【０００２】
上記の冒頭段落に説明された構造をもつデータキャリアは、本出願人によって市場に出され、それに応じて知られている。この既知のデータキャリアは、第１のキャリヤ層としてボトム層と、第２のキャリヤ層としてカバー層とを有する。ボトム層の表面エリアに関係する大きい表面エリアの２つのキャパシタプレートは、第１の伝送手段としてボトム層に設けられ、このことによって、通信局との非接触通信が実現され得る。それぞれのキャパシタプレートは、ボトム層にも設けられ、ボトム層の表面エリアに関係する小さい表面エリアのそれぞれのキャパシタプレートが、ボトム層に設けられる２つの大きいエリアのキャパシタプレートの各々に接続される。集積回路における回路伝送手段として供給される２つの回路キャパシタプレートによる通信は、これらの２つの小さいエリアのキャパシタプレートによって可能になる。既知のデータキャリアの集積回路は、２つの小さいエリアのキャパシタプレートの領域に設けられる、別個の小さいエリアの接着接合部によって、機械的に安定した態様でボトム層に接続され、それゆえに既知のデータキャリアにおいて集積回路用に確保された所与の位置に保持される。この場合、ボトム層とカバー層との間にある接着層は、当該集積回路用に確保された位置における集積回路の保持(retention)をサポートする。
【発明の開示】
【発明が解決しようとする課題】
【０００３】
この既知のデータキャリアの欠点は、集積回路を固定するための接着剤の部分的な利用が、ボトム層と集積回路との間に予想される接着接合部を実現するのに必要であり、このことは、データキャリアの製造に追加の工程ステップをもたらすということにある。データキャリアのボトム層に関連する接着剤を利用する手段の正確な位置決めは、データキャリアのボトム層に関連する集積回路の正確な位置決めがそうであるように、この場合も、データキャリアの製造に際して接着剤を部分的に利用するためには必要であり、このことは、高い精度及びそれに応じて比較的に高額な費用を必要とする。さらに、部分的に塗布されるべき接着剤のある一定量を正確に供給することが、既知のデータキャリアの製造では実行されなければならず、このことも前と同じくかなり高額な費用を伴う。従って、全体として、集積回路とボトム層との間に設けられる接着接合部の製造は、かなりの費用を必要とし、このことは不利であると共に、高い製造コストにつながる。
【０００４】
冒頭段落に説明されたような構造をもつデータキャリアと関連した特許文献については、国際特許出願公開公報ＷＯ９９／６５００２Ａ１がさらに参照されてもよい。とりわけ、この特許公報の図２に示される既知のデータキャリアの構造、及び図１４に示される既知のデータキャリアの構造について、さらに言及されてもよい。
【０００５】
本発明の目的は、上記に説明された不利な状況を避けることと、より簡略であると共により安価な態様で製造され得る改善されたデータキャリアを実現することにある。
【課題を解決するための手段】
【０００６】
上記に示される目的を実現するために、創意に富む特徴が、本発明によるデータキャリアに供給され、その結果として、本発明によるデータキャリアは、以下のように特徴づけられ得る。
【０００７】
通信局との非接触通信用に構成されるデータキャリアであって、第１のキャリア層及び第２のキャリア層を有し、上記２つのキャリア層を一緒に保持するために、第１のキャリア層と第２のキャリア層との間に置かれる接着層を有し、２つのキャリア層の１つと接着層との間において所与の位置にある集積回路を有するデータキャリアにおいて、集積回路が、回路伝送手段を有し、第１の伝送手段が、第１のキャリア層に接続され、第１の伝送手段は、少なくともほぼ接着層に載置(bear on)しており、第１の伝送手段によって、通信局と当該データキャリアとの非接触通信が実施されることが可能であり、第２の伝送手段が、第１のキャリア層に接続され、第２の伝送手段は、電気的導通で第１の伝送手段に接続されると共に、通信目的用に回路伝送手段と動作接続しており、集積回路の最終の機械的な安定保持が、該集積回路の所与の位置において、接着層のみによって実現されることを特徴とする、データキャリアである。
【０００８】
データキャリアは、構造的に非常に簡単な態様で、本発明による特徴を提供することによって実現され、この手段を用いると従来技術から知られるものよりも簡単になり、このデータキャリアでは、集積回路が、確実な態様でデータキャリアにおいて当該集積回路を対象とした位置に正確に保持されるが、その一方で、有利なことに、集積回路と、この集積回路のすぐ近傍に隣接する第１のキャリア層との間に、別個の接着接合部を持たない。さらに、本発明によるデータキャリアにおいては、集積回路を第１のキャリア層に固定するために接着物質を部分的に塗布する工程ステップが、データキャリアの製造には必要でないということが有利に実現され、これは製造工程の簡略化をもたらす。さらに、本発明によるデータキャリアの製造には、部分的に塗布される接着剤が必要でないので、データキャリアの製造中に特に正確な態様で、所与の位置に位置決めされると共に、最終的には保持されるべきである集積回路を位置決めすることも必要でなくなるという利点が実現される。更なる利点は、集積回路と２つのキャリア層の１つとの間において別個の小さいエリアの接着接合部を欠如することは、データキャリアが、構造全体にわたってより薄型になり得るということを意味する。
【０００９】
本発明によるデータキャリアにおいて、集積回路が、第１のキャリア層と接着層との間に設けられてもよく、その場合は、当該データキャリアが完成する前に、接着層が、まず、第２のキャリア層の大きいエリアにわたって設けられる場合に特に有利である。しかしながら、本発明によるデータキャリアにおいては、集積回路が、接着層と第２のキャリア層との間にある場合に特に有利であることが分かった。このことは、接着層が、このようなデータキャリアの製造に際して、まず、第１のキャリア層の広いエリアにわたって設けられることが可能であると共に、この間に第１のキャリア層に接続される伝送手段上に設けられることも可能であり、続いて、集積回路が、第１のキャリア層にあらかじめ設けられる接着層に置かれてもよいので、集積回路は、製造中に既に該集積回路用に確保された位置に、簡単且つ確実な態様で保持されるという利点をもたらす。
【００１０】
本発明の上述した態様及び更なる態様は、以下の実施例から明らかになると共に、これらの実施例を参照して説明されるであろう。
【００１１】
本発明は、図面に示される２つの実施例を参照して以下により詳細に説明されるであろう。ただし、本発明はこれらの図面に限定されるものではない。
【発明を実施するための最良の形態】
【００１２】
図１及び図２は、従来技術に対応すると共に、知られているデータキャリア１を示している。このデータキャリア１は、図１及び図２には図示されない通信局との非接触通信用に構成されている。
【００１３】
データキャリア１は、第１のキャリヤ層２及び第２のキャリヤ層３を有している。ボトム層としても示され得る第１のキャリヤ層２は、この場合、合成樹脂で作られている。ただし、第１のキャリヤ層２は、代替方法として、何か他の材料、例えば、紙又は他の知られる材料から作られてもよい。カバー層としても示され得る第２のキャリヤ層３は、さらに合成樹脂から作られている。ただし、この第２のキャリヤ層３が、紙又は何か他の知られる材料から同様に上手に作られてもよい。
【００１４】
第１の伝送手段４は、第１のキャリヤ層２に接続されており、この手段は、この場合、第１のキャリヤ層２の表面エリアに関連する大きい表面エリアの２つのキャパシタプレート５及び６によって形成されている。２つのキャパシタプレート５及び６によって第１の伝送手段４を構成する代わりに、この第１の伝送手段は、代替方法として、第１のキャリア層２に対する、プリンティング技法、エッチング技法又は何か他の技法によって実施されるコイルの形態で実現されてもよい。通信局とデータキャリア１との非接触通信は、第１の伝送手段４によって、すなわち、２つの大きいエリアのキャパシタプレート５及び６によって実行され得る。
【００１５】
さらに、第２の伝送手段７が、第１のキャリヤ層２に接続されている。第２の伝送手段７は、この場合、第１のキャリヤ層２の表面エリアに関連する小さい表面エリアの２つのキャパシタプレート８及び９によって形成されている。２つの小さい表面のキャパシタプレート８及び９は、大きいエリアのキャパシタプレート５及び６から横に延在するストリップによって形成され、それゆえに、第２の伝送手段７、すなわち、２つの小さいエリアのキャパシタプレート８及び９が、第１の伝送手段４に、すなわち、大きいエリアのキャパシタプレート５及び６に電気的導通で接続されている。
【００１６】
図１及び図２のデータキャリア１において、小さいエリアの接着層１０は、第２の伝送手段７の領域、すなわち、２つの小さいエリアのキャパシタプレート８及び９の領域に設けられ、第１のキャリヤ層２に対して接着物質を部分的に塗布すると共に、小さいエリアのキャパシタプレート８及び９に対しても部分的に塗布することによって、上記層１０が実現された。データキャリア１の集積回路、すなわち、チップ１１は、小さいエリアの接着層１０によって、データキャリア１において当該集積回路用に確保された所与の位置に保持されている。チップ１１は、いわゆるチップ伝送手段１２を回路伝送手段１２として有している。接着層１０は、この場合、電気的に非導電性の接着剤によって形成されている。この態様において、チップ伝送手段１２としてチップ１１に設けられる２つのチップキャパシタプレート１３及び１４が、第２の伝送手段７の小さいエリアのキャパシタプレート８及び９から電気的に絶縁されるので、この非導電性は本事例において重要である。小さいエリアのキャパシタプレート８及び９は、静電的な態様でチップキャパシタプレート１３及び１４と動作接続しているので、チップ１１は、チップキャパシタプレート１３及び１４を介して、小さいエリアキャパシタプレート８及び９を介して、さらに小さいエリアのキャパシタプレート８及び９と電気的導通で接続される大きいエリアのキャパシタプレート５及び６を介して、通信局との非接触通信を実行することができる。
【００１７】
図１及び図２のデータキャリア１において、２つのキャリア層２及び３とほとんど同じ表面エリアを有する大きい表面エリアの接着層１５が、第１のキャリヤ層２と、第２のキャリヤ層３との間に設けられ、これら２つのキャリヤ層２及び３を一緒に保持するのに主に役立っている。データキャリア１の大きいエリアの接着層１５は、該層がチップ１１の機械的な安定保持をこのチップ用に確保された位置においてサポートするという追加機能を果たすが、このことは絶対的には必要ではない。
【００１８】
図１に示されるデータキャリア１の製造は、基本的に、まず、接着物質が、２つの大きいエリアのキャパシタプレート５及び６にフィットされると共に、追加として２つの小さいエリアのキャパシタプレート８及び９にもフィットされる第１のキャリア層２の一部に塗布され、その後に、チップ１１が、第１のキャリア層２における接着剤をあらかじめ塗布された部分の領域に置かれ、続いて、この塗布された接着剤が硬化され、このことが、小さいエリアの接着層１０の形成につながり、それゆえに第１のキャリア層２におけるチップ１１の機械的な安定保持にもつながるように進行する。次のステップで、接着剤は、上記に説明されたように得られる中間生成物の大きいエリアにわたって塗布され、続いて、第２のキャリア層３が、この大きいエリアの接着剤に置かれる。この大きいエリアの接着剤は、その後に硬化され、これが大きいエリアの接着層１５を形成し、それゆえに２つのキャリア層２及び３の機械的な安定結合を実現する。
【００１９】
図１のデータキャリア１は、別個の小さいエリアの接着層１０が、チップ１１を第１のキャリア層２の適所に保持するために具現化されなければならないという欠点を有し、このことは、追加作業を意味すると共に、可能な限り薄型のデータキャリア１が製造されるべきである場合に不利である。
【実施例１】
【００２０】
図３及び図４のデータキャリア１は、別個の小さいエリアの接着層を利用することなく、チップ１１を第１のキャリヤ層２に対して保持するための解決策を提供するものである。図３及び図４のデータキャリア１では、チップ１１の最終の機械的な安定保持が、データキャリア１の当該チップ用に確保された位置において、大きいエリアの接着層１５のみによって実現されている。このことが可能である理由は、チップ１１が、図３及び図４に示されるデータキャリア１の製造に際して、第１のキャリヤ層２に直接的に位置決めされ、チップキャパシタプレート１３及び１４が、図３及び図４のデータキャリア１の２つの小さいエリアのキャパシタプレート８及び９と導電性オーミック接触を始めるからである。ただし、絶縁層がチップ１１に保護層として設けられるような実施例が、代替方法として選択されてもよく、その場合、チップキャパシタプレート１３及び１４が、小さいエリアのキャパシタプレート８及び９により非接触な態様で通信するであろう。したがって、チップ１１が、第１のキャリヤ層２に置かれた後、第１のキャリヤ層２及びその層上に置かれるチップ１１が、衝撃及び他の妨害を受けないという点で、チップ１１は、該チップ用に選択された位置にとどまり続ける。次のステップで、大きなエリアにわたって接着剤を塗布された第２のキャリヤ層３は、第１のキャリヤ層２上に、慎重に且つ正確に置かれて、チップ１１をサポートする。その後に、第１のキャリヤ層２と、第２のキャリヤ層３との間に現存する接着剤が硬化されて、接着層１５を形成する。２つのキャリヤ層２及び３の確実な結合が、図３及び図４のデータキャリア１の接着層１５によって保護される。追加として、図３及び図４のデータキャリア１の大きいエリアの接着層１５によって実現されることは、チップ１１の最終の機械的な安定保持が、該チップ用に確保された位置において、上記大きいエリアの接着層１５によって実現されることである。
【００２１】
図３及び図４のデータキャリア１の製造は、チップ１１が、第１のキャリア層２に置かれると共に、この間に部分的に２つの小さいエリアのキャパシタプレート８及び９にも置かれ、続いて、第１のキャリヤ層２に対して、例えば、レーザ溶接によって、仮に保持されるように進行してもよい。
【実施例２】
【００２２】
図５及び図６のデータキャリア１は、図３及び図４のデータキャリアに関して変形された実施例であり、すなわち、図５及び図６のデータキャリア１の接着層１５が、第１のキャリヤ層２に接着物質を塗布すると共に、同時にそれに加えて２つの大きいエリアのキャパシタプレート５及び６に、さらに２つの小さいエリアのキャパシタプレート８及び９にも上記接着物質を塗布することによって、具現化された実施例である。図５及び図６のデータキャリア１の製造に際して、接着剤は、第１のキャリヤ層２の広いエリアにわたって塗布されると共に、この層上に存在するキャパシタプレート５、６、７、及び８に塗布され、その後に、チップ１１があらかじめ塗布された接着剤に置かれる。その場合、第２のキャリヤ層３は、上記広いエリアにわたってあらかじめ塗布された接着剤に、慎重に且つ正確に置かれる。次のステップで、広いエリアにわたって塗布された接着剤が硬化され、それによって、大きいエリアの接着層１５が形成される。この場合、接着物質は、接着層１５が誘電体を形成すると共に、電気的に絶縁性であるように選択される。しかし、代替方法として、硬化が必要でない接着物質が使われてもよく、その場合は、チップ１１が、接着物質、すなわち、接着層１５に置かれた後に、安定した態様で第１のキャリヤ層２にそれまでに接続される。
【００２３】
図５及び図６のデータキャリア１の大きいエリアの接着層１５は、２つのキャリヤ層２及び３の十分な結合を保護するものである。それに加えて、大きいエリアの接着層１５は、チップ１１が、追加手段を持つことなく、当該チップ用に確保された位置に確実に保持されることを実現する。図５及び図６のデータキャリア１は、第１のキャリア層２に広いエリアの接着層１５を実現するために広いエリアにわたって塗布される接着物質が、データキャリア１の製造中に既にチップ１１の確実な位置決めを保護するという利点を有する。
【００２４】
上記に説明された本発明による２つのデータキャリア１において、第２の伝送手段７の小さいエリアのキャパシタプレート８及び９は、 第１の伝送手段４の大きいエリアのキャパシタプレート５及び６の横に突出するタグ(laterally projecting tag)によって形成される。第１の伝送手段４及び第２の伝送手段７は、代替方法として、それぞれが、横に突出するタグを用いることなく、２つの矩形のキャパシタプレートによって形成されてもよく、その場合、上記２つの矩形のキャパシタプレートの各々のうち片方の１つが、第１の伝送手段に属し、他方の１つが第２の伝送手段に属するであろうということに留意されるべきである。
【００２５】
さらに、大きいエリアの接着層１５は、必ずしも非導電性の接着物質によって具現化される必要はないということに留意されたい。大きいエリアの接着層１５は、代替方法として、異方導電性の接着物質で形成されてもよい。
【００２６】
さらに、少なくとも１つの他の層、例えば、保護層又は刷り込み(imprint)されるのに特に適した層が、大きいエリアの接着層１５によって一緒に保持される２つのキャリア層２及び３の各々の外側に設けられ、本発明によるデータキャリア１の上記２つの層の間で集積回路１１を挟んでいてもよいことに留意されるべきである。
【００２７】
さらに、本発明によるデータキャリア１の集積回路が、必ずしもチップ１１、すなわち、シリコン技術又はケイ素/ゲルマニウム技術で製造された集積回路１１である必要はないが、代替方法として、ポリマー技術で製造される集積回路１１が設けられてもよいことに留意されるべきである。
【図面の簡単な説明】
【００２８】
【図１】従来技術から知られるデータキャリアを分解立体図及び斜視図で示す。
【図２】図１の既知のデータキャリアの一部を断面図で示す。
【図３】図１と同じ態様で本発明の第１の実施例のデータキャリアを示す。
【図４】図２と同じ態様で図３のデータキャリアの一部を示す。
【図５】図１及び図３と同じ態様で本発明の第２の実施例のデータキャリアを示す。
【図６】図２及び図４と同じ態様で図５のデータキャリアの一部を示す。
【国際公開パンフレット】
2004531007.tif 000003
2004531007.tif 000004
2004531007.tif 000005
2004531007.tif 000006
2004531007.tif 000007
2004531007.tif 000008
2004531007.tif 000009
2004531007.tif 000010
2004531007.tif 000011
2004531007.tif 000012
2004531007.tif 000013
2004531007.tif 000014
【国際調査報告】
2004531007.tif 000015
2004531007.tif 000016